(57)【要約】【課題】僅かの梱包資材を用いて包装箱内の缶・瓶類を保護する。【解決手段】プロテクタ本体１と緊締バンド３の組合せである。プロテクタ本体１は、一枚の段ボール紙の折り曲げによって形成されたものであり、底面部４と、側面部５とを有している。底面部４は、缶・瓶類の包装箱２の底に当てがう部分であり、側面部５は、立上り部６と、受座７とを有している。立上り部６は、底面部４の両側に立ち上がって包装箱２の側面を覆う部分であり、受座７は、立上り部６の下縁から下傾し、先端縁が底面部４上に支えられ、底面部４上に空間を形成して緩衝作用を生じさせる。緊締バンド３は、底面部４と、両側面部５，５とに跨って掛け渡され、両側面部５，５を包装箱２に圧接して底面部４と、両側面部５，５に囲まれた空間内に包装箱２を保持させるものである。【選択図】　図１
2004018049.tif 000002
【特許請求の範囲】
【請求項１】
プロテクタ本体と、緊締バンドとの組合せを有し、缶・瓶類を収納した角型の包装箱の外面に取り付ける貨物の運送用プロテクタであって、
プロテクタ本体は、一枚の段ボール紙の折り曲げによって形成され、底面部と、側面部とを有し、
底面部は、包装箱の底に当てがう部分であり、
側面部は、前記底面部の両側に連接され、立上り部と、受座とを有し、
立上り部は、底面部の両側に立ち上がって包装箱の側面を覆う部分であり、
受座は、立上り部の端縁に付設され、立上り部の下縁から下傾し、先端縁が底面部上に支えられ、包装箱を支え、底面部上に空間を形成して緩衝作用を生じさせるものであり、
緊締バンドは、底面部と、両側面部とに跨って掛け渡され、両側面部を包装箱に圧接して両側面部間に包装箱を保持させるものであることを特徴とする缶・瓶類の運送用プロテクタ。
【請求項２】
立上り部は、外側面部と、内側面部とからなり、
外側面部は、底面部の両測に立ち上がる部分であり、
内側面部は、外側面部の上縁を下向きに内側に折り返した部分であり、内側面部の折り返し長さは、外側面部の立上り高さより短く、
前記受座は、内側面部の下縁に付設されていることを特徴とする請求項１に記載の缶・瓶類の運送用プロテクタ。
【請求項３】
前記受座は、下傾姿勢で底面部に支えられ、包装箱を底面部の上方に保持し、受座と、底面部とに囲まれた空間を形成させるものであることを特徴とする請求項１または２に記載の缶・瓶類の運送用プロテクタ。
【請求項４】
内側面部は、包装箱の外側面に沿って垂直姿勢に矯正され、外側面部は、垂直姿勢または傾斜姿勢となり、傾斜姿勢のときには、受座と、底面部とに囲まれた空間に通じる空間が内側面部と外側面部との間に形成されるものであることを特徴とする請求項３に記載の缶・瓶類の運送用プロテクタ。
【請求項５】
両内側面部間に格納される包装箱の幅の大小に適合して外側面部の傾斜角度が変化し、外側面部と、内側面部間の空間の大きさが変化することを特徴とする請求項４に記載の缶・瓶類の運送用プロテクタ。
【発明の詳細な説明】
【０００１】
【発明の属する技術分野】
本発明は、缶・瓶類の包装箱をガードして内容物、例えば缶ビールの輸送、運搬時の破損を防止する缶・瓶類の運送用プロテクタに関する。
【０００２】
【従来の技術】
缶・瓶類に収容された飲料品、例えば缶ビールは、中元，歳暮用の贈答品として輸送，運搬されることが多い。缶ビールは通常１ダースを１セットとして包装箱に箱詰めされるが、ジュース類，コーヒー，酒類と組合わせて箱詰めされることもある。
【０００３】
包装箱に箱詰めされた缶・瓶類をデパートなどから指定された届け先に運送するに際しては、缶・瓶類の包装箱を紐で結束してそのまま宅配便などの貨物として運送される場合が多い。このため、運送の取り扱い中に誤って貨物を落としたり、ぶつけたりすると包装箱内の缶・瓶類が破損する危険がある。
【０００４】
現実に、運送基地での取り扱い中に衝撃を受けて包装箱のビールの缶が破損し、包装箱からこぼれたという事故が発生している。一般に、貨物を配達する宅配便のトラックの運転手は、貨物の取扱いに慎重であって、トラック便で配達中にビール缶が破損するような事故は少なく、包装箱内の缶・瓶類が破損する事故は、基地での貨物の仕分け作業中に発生する率が高いと云われている。
【０００５】
贈答品のビール缶が破損してビールがこぼれ出したときには破損したビール缶だけが商品とならないだけでなく、こぼれだしたビールによって他の貨物が汚損し、被害が拡大するという重大な問題が生ずるのである。このような問題は、緩衝材を使用し、また梱包に水密構造を施すなどの対策を講じて被害の拡大を阻止することは理論的には可能であるものの、梱包を完全にしようとすればするほど梱包費用が嵩み、また多量の梱包資材を用いることになり、使用後の廃棄物量が増大するなどの別の新たな問題を引き起こすことになる。
【０００６】
逆に包装を簡略化すればするほど、梱包資材の使用量は少なくて済むが破損の危険が高まることから、運送業界ではできるだけ少ない梱包資材を用いて可能な限り、運送中の取り扱い時に缶・瓶類の破損を防止し得る対応策が要請されている。
【０００７】
本発明の目的は、僅かの梱包資材を用いて包装箱に箱詰めされた缶・瓶類を破損から有効に保護し得る缶・瓶類の運送用プロテクタを提供することにある。
【０００８】
【課題を解決するための手段】
上記目的を達成するため、本発明による缶・瓶類の貨物の運送用プロテクタにおいては、プロテクタ本体と、緊締バンドとの組合せを有し、缶・瓶類を収納した角型の包装箱の外面に取り付ける貨物の運送用プロテクタであって、
プロテクタ本体は、一枚の段ボール紙の折り曲げによって形成され、底面部と、側面部とを有し、
底面部は、包装箱の底に当てがう部分であり、
側面部は、前記底面部の両側に連接され、立上り部と、受座とを有し、
立上り部は、底面部の両側に立ち上がって包装箱の側面を覆う部分であり、
受座は、立上り部の端縁に付設され、立上り部の下縁から下傾し、先端縁が底面部上に支えられ、包装箱を支え、底面部上に空間を形成して緩衝作用を生じさせるものであり、
緊締バンドは、底面部と、両側面部とに跨って掛け渡され、両側面部を包装箱に圧接して両側面部間に包装箱を保持させるものである。
【０００９】
また、立上り部は、外側面部と、内側面部とからなり、
外側面部は、底面部の両測に立ち上がる部分であり、
内側面部は、外側面部の上縁を下向きに内側に折り返した部分であり、内側面部の折り返し長さは、外側面部の立上り高さより短く、
前記受座は、内側面部の下縁に付設されているものである。
【００１０】
また、前記受座は、下傾姿勢で底面部に支えられ、包装箱を底面部の上方に保持し、受座と、底面部とに囲まれた空間を形成させるものである。
【００１１】
また、内側面部は、包装箱の外側面に沿って垂直姿勢に矯正され、外側面部は、垂直姿勢または傾斜姿勢となり、傾斜姿勢のときには、受座と、底面部とに囲まれた空間に通じる空間が内側面部と外側面部との間に形成されるものである。
【００１２】
また、両内側面部間に格納される包装箱の幅の大小に適合して外側面部の傾斜角度が変化し、外側面部と、内側面部間の空間の大きさが変化するものである。
【００１３】
【発明の実施の形態】
以下に本発明の実施の形態を図によって説明する。図１において、本発明による缶・瓶類の運送用プロテクタは、１枚のダンボール紙を折曲して組立てられたプロテクタの本体１を、ビール缶その他飲食品の缶・瓶類Ｃ，Ｃ・・・を収容した角型の包装箱２の底面及び両側面に跨ってあてがい、緊締バンド３を用いてプロテクタ本体１に包装箱２を緊締したものである。
【００１４】
すなわち、本発明によるプロテクタ本体１は、底面部４と、側面部５とからなり、底面部４と、側面部５とは、一枚の段ボール紙の折り曲げによって形成された部分である。底面部４は、包装箱２の底にあてがう部分であり、側面部５は、前記底面部４の両側につながる部分であり、立上り部６と、受座７とからなっている。
【００１５】
立上り部６は、底面部４の両側に立ち上がって包装箱２の両側面を覆う部分であり、受座７は、立上り部６の端縁に付設された部分であり、立上り部６の下縁から下傾し、その先端縁が底面部４上に支えられ、図２に示すように、包装箱２と、プロテクタ本体１の底面部６ｂとの間に空間Ｓ１が形成される。
【００１６】
この空間Ｓ１は、プロテクタ本体１が外部から衝撃を受けたときに、衝撃により変形した受座７または、底面部４の一部を受入れて緩衝作用を生じさせる緩衝空間となる。立上り部６は、さらに外側面部６ａと、内側面部６ｂとからなっている。
【００１７】
図２において、外側面部６ａは、底面部４の両測に立ち上がる部分であり、内側面部６ｂは、外側面部６ａの上縁の延長部分を下向きに内側に折り返した部分である。内側面部６ｂの折り返し長さは、外側面部６ａの立上り高さより短く、前記受座７は、内側面部６ｂの下縁に付設されているものである。
【００１８】
図２（ａ）において、プロテクタ本体１の両側面部５、５の隅部には、受座７と、底面部４とに囲まれた空間Ｓ２が形成される。この空間Ｓ２は、プロテクタ本体１の両側面部５，５間の幅に対する包装箱２の幅Ｗ（図１参照）の大小によって変化する。
【００１９】
図２（ａ）は、包装箱の幅Ｗ１が、立上り部６が垂直に起立しているときの両側面部５，５の幅に合致しているときの状況を示している。このとき、内側面部６ｂは、包装箱２の外側面に沿って垂直姿勢に矯正され、また、外側面部６ａも内側面部６ｂに沿って垂直姿勢となっている。図２（ｂ）は、包装箱の幅Ｗ２が図２（ａ）に示す包装箱の幅Ｗ１より相対的狭い場合を示している。このとき、内側面部６ｂは、包装箱２の外側面に沿って垂直姿勢に矯正されるが、外側面部６ａは、傾斜姿勢となる。外側面部６ａが傾斜姿勢のときには、受座７と、底面部４とに囲まれた前記空間Ｓ２に通じる空間が内側面部６ｂと外側面部６ａとの間に形成され、空間Ｓ２の大きさが拡大する。
【００２０】
すなわち、包装箱３の幅Ｗが狭くなればなるほど、外側面部６ａの傾斜角度が大きくなり、幅Ｗ２の狭い包装箱の場合の方が幅Ｗ１が広い包装箱の場合に比べて空間Ｓ２の大きさが大きくなる。この空間Ｓ２は、外部から衝撃を受けたときに、特に衝撃を受けやすいプロテクタ本体１の底面隅部や、外側面部６ａの変形部分を受入れる緩衝空間になる。
【００２１】
図３に、１枚のダンボール紙を折曲してプロテクタ本体１に組立てる組立て順序を示す。図３（ａ）において、長方形のダンボール紙の中心線Ｘ−Ｘをはさんでその両側縁の一定範囲に予め定められた間隔で折曲げ線Ｐ１，Ｐ２，Ｐ３が引かれている。
【００２２】
ダンボール紙の端縁をＰ４としたときに、（Ｐ４−Ｐ３）が受座７の形成部分、（Ｐ３−Ｐ２）が内側面部６ｂの形成部分、（Ｐ２−Ｐ１）が外側面部６ａの形成部分、（Ｐ１−Ｐ１）が底面部４の形成部分である。（Ｐ３−Ｐ２）＜（Ｐ２−Ｐ１）であり、（Ｐ４−Ｐ３）の長さには特に制約はないが、通常、（Ｐ３−Ｐ２）＞（Ｐ４−Ｐ３）である。
【００２３】
図３（ｂ），図３（ｃ）のように、まず折曲げ線Ｐ２で両端縁を向き合わせに折り曲げ、次いで図３（ｄ）のように折曲げ線Ｐ３、Ｐ１で外側面部６ａ及び内側面部６ｂの形成部分を起立させるとともに受座７を底面部４上に支えて折曲げ線Ｐ１で端縁を上向きに折り返すことによってプロテクタ本体１の組立てが完了する。
【００２４】
８、９は把手となる切欠きである。把手となる切欠き８、９は、内側面部６ｂ及び外側面部６ａの一部に開けられた横長の開口であり、両開口は、外側面部６ａ及び内側面部６ｂを起立させたときに両切欠き８，９の開口位置が互いに合致してプロテクタの把手となる。把手は、プロテクタを組付けた包装箱の持ち運びを容易にするためのものであって、必ずしも必要なものではない。
【００２５】
緊締バンド３は、底面部４と、両側面部５とに跨って掛け渡され、両側面部５を包装箱２に圧接して底面部４と、両側面部５に囲まれた空間内に包装箱２を保持させるものである。緊締バンド３には、ゴム輪や、荷造り用のテープなどを用いることができる。緊締バンド３は、側面部５を包装箱２の両側面に圧接しプロテクタ本体１を包装箱２に圧接固定させる、いわゆる結束バンドである。
【００２６】
缶・瓶類例えば缶ビールを収容した包装箱２に本発明のプロテクタ本体１を取付けたときには、プロテクタ本体１は、包装箱２の底面および両側面を覆って定型を保ち、受座７は、段ボール紙の有する強度によって、下傾姿勢で底面部４上に支えられ、包装箱２の底と、底面部４との間に空間Ｓ１を形成し、包装箱２は、プロテクタ本体１の底面部６ｂ上に浮いた状態で受座７に支えられ、包装箱２の両側にはプロテクタ本体１の両側には、受座７と、底面部４とに囲まれた空間Ｓ２、あるいは受座７と底面部４と、内外側面部６ａ，６ｂに囲まれた空間Ｓ２が形成される。
【００２７】
プロテクタ本体１を取付けた包装箱２を貨物として取扱う際には、プロテクタ本体１の両立上り部６に設けた把手（８、９）の開口に手指を差し込んで水平姿勢で持ち運ばれる。運送途中の取り扱い中に誤って貨物を落下させたときには、プロテクタ本体１の底面部４と包装箱２の底との間に空間Ｓ１が形成されているため、落下時の衝撃が直接包装箱内の缶・瓶類に直接作用することがない。
【００２８】
また、強い衝撃を受けやすい底面の角には、空間Ｓ２が形成され、外部からの衝撃によって受座７又は底面部４の一部が変形することがあっても、この空間Ｓ２が衝撃時の緩衝空間となってその変形部分はこの空間Ｓ２内に吸収され、包装箱２内への衝撃は大幅に減殺されて内容物は破損から保護される。
【００２９】
内側面部６ｂは、外側面部６ａより高さが短く、緊締バンド３で緊締されると、内側面部６ｂは、包装箱２の両側面部５，５に沿って垂直姿勢に矯正され、包装箱２の両外側面に定着して包装箱２を安定に固定することができる。
【００３０】
図１の例では、プロテクタ本体１の長さの範囲内で自由に緊締バンド３のバンドかけを行うことができるが、緊締位置を特定するときには、図４に示すように、外側面部６ａの上下端に内側面部６ｂ及び底面部４の一部に跨って切欠き１０を設け、この切欠き１０を目印にしてバンドがけを行うことができる。また、図５に示すように、外側面部６ａに縦長のスリット１１を開口し、スリット１１内には緊締バンド３を嵌め合わせ、内側面部６ｂの外面を緊締バンド３で直接圧接して包装箱２に対する緊締力を高めることもできる。
【００３１】
以上実施形態においては、包装箱２の両側をプロテクタ本体１の両側面部５，５で覆い、前後面は開放されている例を示したが、プロテクタ本体１には、包装箱の前後面に対しても、立上り部および受座を有する側面部と同じ構成の端面部（図示略）を設ければ、包装箱２は、四周側面が空間Ｓ２を有する部分に覆われることになって、運送時の安全性をより高めることができる。
【００３２】
以上のように、本発明によるプロテクタによれば、貨物として運送する包装箱２の大きさに多少の大小の違いがあっても、同じプロテクタ本体１で大きさの異なる大小の包装箱に兼用して取付けることができ、包装箱の下方のほか、側面にも緩衝空間を形成して外部の衝撃から包装箱２内の内容物である缶・瓶類を有効に保護できる。
【００３３】
【発明の効果】
以上のように本発明によるときには、段ボール紙と、緊締バンドとの組合せによって、プロテクタを組立て、缶・瓶類が収容された包装箱の一部、底面と両側面を覆うだけであるため、運送取り扱い時に受ける衝撃から包装箱内に収容された缶・瓶類を有効保護してその破損を防止することができる。
【００３４】
特に、本発明によれば、プロテクタの本体部分は、１枚の段ボール紙の折り曲げによって組み立てられ、しかもサイズの違う大小の包装箱に適用できるため、包装箱のサイズ毎に専用のプロテクタを準備する必要がない。
【００３５】
本発明は、使用する資材は僅かであり、構造が簡単で、貨物への取付が容易であり、使用後の廃棄物問題が生ずることはなく、歳暮，中元の時期に大量に取扱われる贈答品の輸送、特に宅配便による貨物の運送用プロテクタとしてその効果は大きい。
【図面の簡単な説明】
【図１】本発明によるプロテクタの使用例を示す一部断面斜視図である。
【図２】（ａ）、（ｂ）は、それそれ大きさが異なる包装箱にプロテクタを取付けた例を示す図である。
【図３】（ａ）〜（ｄ）は、プロテクタの本体の組立て順序を示す図である。
【図４】緊締バンドの他の取付例を示す図である。
【図５】緊締バンドのさらに他の取付例を示す図である。
【符号の説明】
１　プロテクタ本体
２　包装箱
３　緊締バンド
４　底面部
５　側面部
６　立上り部
６ａ　外側面部
６ｂ　内側面部
７　受座
８　スリット
９　把手
１０　切欠き
１１　スリット
【図１】
2004018049.tif 000003
【図２】
2004018049.tif 000004
【図３】
2004018049.tif 000005
【図４】
2004018049.tif 000006
【図５】
2004018049.tif 000007